【事件の表示】
　平成　８年特許願第３３０２５４号「軸方向空隙型ＤＣブラシレス軸流ファンモ−タ」拒絶査定に対する審判事件［平成１０年　６月１９日出願公開、特開平１０−１６４７９４］について、次のとおり審決する。
【結　論】
　本件審判の請求は、成り立たない。
【理　由】
［手続の経緯・本願発明］
  本願は、平成８年１１月２７日の出願であって、その請求項１に係る発明（以下「本願発明」という）は、平成１２年０３月０２日付けで補正された明細書及び図面の記載からみて、その特許請求の範囲に記載された次のとおりのものである。
　「軸方向空隙型ＤＣブラシレス軸流ファンモータ（１）の軸承ハウジング（２）に装着するスリーブ軸承（３）の上端部を上記軸方向空隙型ＤＣブラシレス軸流ファンモータ（１）の備える円環状の界磁マグネット（４）の内周凹部（５）内に延長突出させ、上記スリーブ軸承（３）の上端内周部に凹部（６）を形成し、該凹部（６）内に臨む上記スリーブ軸承（３）に含浸させたオイルの飛散を防止するためのオイル飛散防止体（７）をシャフト（８）等の回転ファン（９）部分に取り付けたことを特徴とする軸方向空隙型ＤＣブラシレス軸流ファンモータ。」
　なお、本願について、平成１２年１２月２２日付けでなされた手続補正は、別に決定をもって却下されたので、本願発明を上記のように認定した。
［引用例］
　１．原査定の拒絶の理由において引用された特開平８−１０３０４７号公報（以下、引用例という）には、以下の記載がある。
「【産業上の利用分野】
　本発明は、すべり軸受を備えたブラシレスモータについて、特にすべり軸受の潤滑油漏れを確実に防止することが出来るブラシレスモータに関する。」【０００１】
「すべり軸受６は、ハウジング２の円筒部４内に収容されており、前記軸８を円滑に回転支持し、潤滑油が含浸された多孔質材である焼結金属等で構成されている。このすべり軸受６は、図示されているように上方に示す部分において、半径方向中心部に近い部分が全集にわたり浅く削り取られた凹部１０を有し、残る外周部分には周壁部４８が形成されている。」【００１３】
「ロータ２０の突出部１４の下方には、円筒状の鍔部材１６が装着されている。鍔部材１６は、ボス部１２の下端面に当接する円筒部１６ａと、その円筒部１６ａの下端縁から径方向に伸びる鍔部１６ｂとからなる。故に、前記突出部１４と鍔部材１６とによって横凹部４６を形成している。」【００１５】
「ハウジング２の円筒部４は、一端が開放し他端がハウジング２の底壁部２８にて閉じた有底円筒形状となっており、該ハウジング２と円筒部４とは合成樹脂によって一体的に成型されている。この底壁部２８の中心部には凹み３０が形成されており、この凹み３０内には、軸８の他端部の球面加工された端部を受けるためのスラスト受け部材３２が収容されている。このスラスト受け部材３２は例えばＰＰＳ系樹脂の複合材料から構成されている。これにより、軸８はスラスト受け部材３２とすべり軸受６とにより安定した状態で円滑にその軸心周りを静かに高速で回転することが出来る。」【００１１】
　以上の記載によれば、引用例には以下の発明が記載されていることになる。
「ＤＣブラシレスモータの軸承ハウジング（４）に装着するスリーブ軸承（６）の上端内周部に凹部（１０）を形成し、該凹部（１０）内に臨む上記スリーブ軸承（６）に含浸させたオイルの飛散を防止するためのオイル飛散防止体（１６）をシャフト（８）に取り付けたＤＣブラシレスモータ。」
２．実願昭６２−１２９２１０号（実開昭６４−３４８６７号）のマイクロフィルム（以下、周知例１という）には、従来例として、以下の記載がある。
「ブラシレス軸流ファンモータ本体２は、第１図に示すように平面において角型で且つ第３図及び第４図に示すように縦断面において凹部となっている外側ケーシング３を有している。上記ブラシレス軸流ファンモータ本体２には、内側径方向に伸びるステー４を介してその内周部にプラスチックによって一体してモータ配設部を構成するカップ型モータケーシング５を形成している。
　このことにより、外側ケーシング３とモータケーシング５の間の下部に後記するインペラ６によって生ずる冷却エアーを通過させるための透孔７を形成している。
　モータケーシング５には、支柱５ａが一体して形成され、支柱５ａの上部には、プリント基板８及びその上に配設されたステータヨーク９が非磁性体でできた螺子１０によって固定されている。
　プリント基板８の下面にには駆動回路を構成するチップ状の図示しない電子部品を配設し、モータケーシング５に設けられた駆動回路収納用空隙部１１を収納内蔵しており、ステータヨーク９の上面には第５図および第６図に示すように１８０度対称に２個の空心型の電機子コイル１２，１３を配設してステータコアレス電機子１４を形成し、軸方向の空隙を介して後記するマグネットロータ１５と相対的に回動するように面対向している。」（明細書第１１頁１３行〜第１２頁１７行）
「マグネットロータ１５は、第７図に示すようにＮ極，Ｓ極の磁極が等しい幅で交互に形成された２Ｐ（Ｐは１以上の整数）極，この例では６極の円環状のフラットなものに形成され、その上部のロータヨーク１９を介して回転ファン２０のカップ型本体２１にプラスチックによって一体してモールド成形されている。カップ型本体２１の外周には、回転することで下方の透孔７に冷却用の風を送風することができるインペラ６を一体形成している。
　カップ型本体２１の下面略々中央部にボス部２２を形成し、この部分に回転軸２３の上端部を固定し、回転ファン２０と一体して回転するようにしている。
　回転軸２３は、モータケーシング５の中央部に一体して立設形成された軸承ハウス２４の上下両開口端に装着された玉軸承（ボールベアリング）２５，２６によって回動自在に支持されている。
　また玉軸承２６の下部には、少し離して、回転軸２３に止め輪２７を契合している。」（明細書第１８頁第５行〜第１９頁第４行）
　また、第３図の記載によれば、軸承ハウス２４の上部および玉軸承２５は、マグネットロータ１５の内周凹部内に位置していることが示されている。
　また、実願昭６２−１２９２１１号（実開平１−６９３６７号）のマイクロフィルム（以下、周知例２という）には、従来例として、以下の記載がある。
「ブラシレス軸流ファンモータ本体２は、第１図に示すように平面において角型で且つ第３図及び第４図に示すように縦断面において凹部となっている外側ケーシング３を有している。上記ブラシレス軸流ファンモータ本体２には、内側径方向に伸びるステー４を介してその内周部にプラスチックによって一体してモータ配設部を構成するカップ型モータケーシング５を形成している。
　このことにより、外側ケーシング３とモータケーシング５の間の下部に後記するインペラ６によって生ずる冷却エアーを通過させるための透孔７を形成している。
　モータケーシング５には、支柱５ａが一体して形成され、支柱５ａの上部には、プリント基板８及びその上に配設されたステータヨーク９が非磁性体でできた螺子１０によって固定されている。
　プリント基板８の下面にには駆動回路を構成するチップ状の図示しない電子部品を配設し、モータケーシング５に設けられた駆動回路収納用空隙部１１を収納内蔵しており、ステータヨーク９の上面には第５図および第６図に示すように１８０度対称に２個の空心型の電機子コイル１２，１３を配設してステータコアレス電機子１４を形成し、軸方向の空隙を介して後記するマグネットロータ１５と相対的に回動するように面対向している。」（明細書第１２頁１行〜第１３頁５行）
「マグネットロータ１５は、第７図に示すようにＮ極，Ｓ極の磁極が等しい幅で交互に形成された２Ｐ（Ｐは１以上の整数）極，この例では６極の円環状のフラットなものに形成され、その上部のロータヨーク１９を介して回転ファン２０のカップ型本体２１にプラスチックによって一体してモールド成形されている。カップ型本体２１の外周には、回転することで下方の透孔７に冷却用の風を送風することができるインペラ６を一体形成している。
　カップ型本体２１の下面略々中央部にボス部２２を形成し、この部分に回転軸２３の上端部を固定し、回転ファン２０と一体して回転するようにしている。
　回転軸２３は、モータケーシング５の中央部に一体して立設形成された軸承ハウス２４の上下両開口端に装着された玉軸承（ボールベアリング）２５，２６によって回動自在に支持されている。
　また玉軸承２６の下部には、少し離して、回転軸２３に止め輪２７を契合している。」（明細書第１８頁第１３行〜第１９頁第１２行）
　また、第３図の記載によれば、軸承ハウス２４の上部および玉軸承２５は、マグネットロータ１５の内周凹部内に位置していることが示されている。
　以上の記載によれば、下記の発明は本願の出願前、周知であったものと認められる。
「軸方向空隙型ＤＣブラシレス軸流ファンモータ（１）の軸承ハウジング（２４）に２つのボールベアリング（２５，２６）を装着し、ボールベアリング（２５）の上端部を上記軸方向空隙型ＤＣブラシレス軸流ファンモータ（１）の備える円環状の界磁マグネット（１５）の内周凹部内に延長突出させた軸方向空隙型ＤＣブラシレス軸流ファンモータ。」（以下、周知発明という）
［対比］
　本願発明と周知発明を対比すると、両者の一致点および相違点は、次のとおりである。
　一致点
　「軸方向空隙型ＤＣブラシレス軸流ファンモータの軸承ハウジングに装着する軸承部材の上端部を上記軸方向空隙型ＤＣブラシレス軸流ファンモータの備える円環状の界磁マグネットの内周凹部内に延長突出させた軸方向空隙型ＤＣブラシレス軸流ファンモータ。」
　相違点　　　　　　　　　　　
　本願発明では、前記「軸承部材」が「スリーブ軸承」であって、それにともない「スリーブ軸承の上端内周部に凹部を形成し、該凹部内に臨む上記スリーブ軸承に含浸させたオイルの飛散を防止するためのオイル飛散防止体をシャフト等に取り付けている」（以下、「オイル飛散防止構造」という）のに対して、上記周知のものでは、前記「軸承部材」がボールベアリングであって、それにともない前記のような「オイル飛散防止構造」を備えていない点。　
［当審の判断］
　上記相違点について検討する。
　引用例に記載されたＤＣブラシレスモータは、本願発明におけるような「スリーブ軸承」と「オイル飛散防止構造」とを備えている。そして、引用例のＤＣブラシレスモータも上記周知発明の「軸方向空隙型ＤＣブラシレス軸流ファンモータ」も同じ技術の分野のものであるから、上記周知発明の「軸方向空隙型ＤＣブラシレス軸流ファンモータ」におけるボールベアリングによる軸承構造を引用例の「スリーブ軸承」と「オイル飛散防止構造」とを備えたものに変更することは、当業者が容易にできたことである。
　してみると、上記相違点とした本願発明における構成は、引用例の記載から当業者が容易に採用できたものであり、それによる効果についてみても当業者の予測をこえるものは見出せない。
　
［むすび］
　したがって、本願発明は，上記周知発明及び引用例に記載された発明に基づいて当業者が容易に発明をすることができたものと認められるから、特許法第２９条第２項の規定により特許を受けることができない。
  よって、結論のとおり審決する。